(57)【要約】【課題】  印刷装置に接続されたデジタルデバイスの状態に応じて、印刷装置の「印刷スピード」「印字音」「印字画質」等の印刷設定を変更する事により、ユーザーからの煩わしい印刷設定作業を低減させる。【解決手段】  印刷装置はデジタルデバイスの状態を取得し、その情報を基に印刷装置の印刷方法を決定する。【選択図】  図１
2009116390.tif 000002
【特許請求の範囲】
【請求項１】
デジタルデバイスと印刷装置を接続し、デジタルデバイスから印刷を行なう時の印刷設定方法において、印刷装置の印刷方法を設定するステップと、設定された印刷設定データを生成するステップと、生成された印刷設定データを印刷装置へ送信するステップと、送信されてきた印刷設定データを受信するステップと、受信した印刷設定データを設定するステップを備える事を特徴とする印刷設定方法。
【請求項２】
印刷装置の印刷方法を設定するステップは、デジタルデバイスと印刷装置を接続し印刷装置を印刷設定モードへ移行し、ユーザーが任意に印刷方法を設定出来るステップを有することを特徴とする請求項１に記載の印刷設定方法。
【請求項３】
設定された印刷設定データを生成するステップは、任意に設定された印刷設定をＳＧＭＬ、ＨＴＭＬ、ＸＨＴＭＬ、ＸＭＬといったデータ形式にデータを生成するステップを有することを特徴とする請求項１に記載の印刷設定方法。
【請求項４】
生成された印刷設定データを印刷装置へ送信するステップは、生成された印刷設定データを印刷装置へ送信するステップを有することを特徴とする請求項１に記載の印刷設定方法。
【請求項５】
送信されてきた印刷設定データを受信するステップは、デジタルデバイスから送信されてくる印刷設定データを受信するステップを有することを特徴とする請求項１に記載の印刷設定方法。
【請求項６】
受信した印刷設定データを設定するステップは、デジタルデバイスから受信した印刷設定データを印刷装置内部で保持する印刷方法テーブルに設定するステップを有することを特徴とする請求項１に記載の印刷設定方法。
【請求項７】
デジタルデバイスと印刷装置を接続し、デジタルデバイスから印刷を行なう印刷装置において、デジタルデバイスからデータを受信するデータ受信手段と、データ受信手段で受信したデータを解析するデータ解析手段と、データ解析手段で解析された結果から印刷方法を決定する印刷方法決定手段と、印刷方法決定手段で決定された印刷方法の印刷データを生成する印刷データ生成手段と、印刷データ生成手段で生成された印刷データを印刷する印刷手段を備える事を特徴とする印刷装置。
【請求項８】
データ受信手段は、印刷装置が印刷設定モード時の印刷設定データや、印刷が発生した時に現在のデジタルデバイスの状態や、印刷データを受信する手段であることを特徴とする請求項７に記載の印刷装置。
【請求項９】
データ解析手段は、デジタルデバイスから受信したデジタルデバイスの設定状態や情報を解析する手段であることを特徴とする請求項７に記載の印刷装置。
【請求項１０】
印刷方法決定手段は、データ解析手段で解析したデジタルデバイスの状態や情報を基に、「印刷速度」「印刷品位」「印刷音」を決定し印刷方法を決定する手段であることを特徴とする請求項７に記載の印刷装置。
【請求項１１】
印刷データ生成手段は、印刷方法決定手段で決定された印刷方法で印刷データを生成する手段であることを特徴とする請求項７に記載の印刷装置。
【請求項１２】
印刷手段は、印刷データ生成手段かで生成された印刷データの印刷を行なう手段であることを特徴とする請求項７に記載の印刷装置。
【請求項１３】
前記デジタルデバイスは、デジタルテレビや携帯電話、PDAといったデジタルデバイスであることを特徴とする請求項７に記載の印刷装置。
【請求項１４】
前記デジタルデバイスと印刷装置間のインターフェース及び接続手段が有線、あるいは無線である事を特徴とする請求項７に記載の印刷装置。
【発明の詳細な説明】
【技術分野】
【０００１】
本発明は印刷設定方法及び印刷装置に関し、詳しくは印刷装置と接続されたデジタルデバイスの状態に応じた印刷装置の印刷方法に関する。
【背景技術】
【０００２】
印刷機能を有する電話機において、携帯電話を固定電話機の子機として使用する際、両機の同一設定項目（例えばマナーモードや留守録など）に関しては、親機である印刷機能を有する電話機と同一の設定である事が望ましい設定項目なので、携帯電話が親機（印刷機能を有する電話機）の子機として動作する時は、自動的に親機（印刷機能を有する電話機）の設定を反映する事が出来るというものがある。
【０００３】
上記の例として、下記特許文献１をあげることが出来る。
【特許文献１】特開2006-050261号公報
【発明の開示】
【発明が解決しようとする課題】
【０００４】
上記従来例は、両機器間の同一設定項目に関しては設定を統一して動作させるというものである。しかし、いつでも2つの機器間で（上記例では、印刷機能を有する電話機と携帯電話）、同一設定項目があるとは限らない。
【０００５】
また従来、印刷装置はデジタルデバイスからの印刷を行なう際、ホストとなるデバイスの状態や情報等を考慮せずに印刷を行なう為、印刷装置のUIや専用のアプリケーション等を利用して印刷設定を行なう必要があり、ユーザーにとって非常に煩わしい設定作業が発生してしまうという問題があった。
【課題を解決するための手段】
【０００６】
本発明は、デジタルデバイスから印刷装置へ印刷要求が発生した時、印刷装置はデジタルデバイスの状態を取得し、その情報を基に印刷装置の印刷方法を決定する印刷設定方法及び印刷装置である。
【０００７】
デジタルデバイスと印刷装置の間で、関連する設定項目をユーザーにより予め登録・設定させておく事により、デジタルデバイスの設定のみ変化させる事により、印刷装置の印刷方法を変更させる事が可能となる。
【０００８】
しかもデジタルデバイスの設定・状態は、リアルタイムで変化する為、刻一刻と変化するデジタルデバイスの設定・状態を基に、印刷装置の印刷方法を変更し、ユーザーに印刷を行なう際の煩わしい設定の負荷を軽減させる事が可能となる。
【発明の効果】
【０００９】
本発明によれば、印刷を行なう前にドライバや印刷装置のUIから、煩わしくて細かい設定をユーザーが行なわなくても、デジタルデバイスの状態（例えば音量や画質等）を変化させる事によって、印刷装置の印刷方法を決定する事が可能になる。
【発明を実施するための最良の形態】
【００１０】
以下、添付図面を参照して本発明の好適な実施の形態を詳細に説明する。
【実施例１】
【００１１】
実施例では、デジタルデバイスにデジタルテレビを例にとって説明する。
【００１２】
図１は、本発明において、デジタルテレビ10と印刷装置20との接続形態を示す構成図である。デジタルテレビ10と印刷装置20は、USBや有線LANといった有線通信、あるいはIrDAやBluetooth（登録商標）、無線LANといった無線通信等のインターフェースを介して接続される。
【００１３】
最初に、印刷装置20の印刷方法を設定するステップについて説明をする。
【００１４】
なんらかのインターフェースを利用して、デジタルテレビ10と印刷装置20.を接続（S302）し、印刷装置20を印刷設定モードへ移行する（S303）。印刷装置20は、印刷設定モードに入り図５に示すような印刷設定画面がデジタルテレビ10の画面に表示される（S304）。
【００１５】
例えば、図６に示すように「印刷音」は、「音量」が０〜１５の時は、「静か」。１６〜３０の時は、「普通」。３１〜  の時は、「大きめ」。「印刷スピード」は、「音量」が０の時は、「一時停止」。１〜１０の時は、「ゆっくり」。１１〜２０の時は、「普通」。２１〜  の時は、「速い」。「印刷画質」は、アナログ放送の時は、「普通」。ハイビジョン放送の時は、「きれい」。「第一に優先する設定」を「印刷音」という具合にデジタルテレビ10のリモコン等のUI装置から、数字キーや上下左右キーを使用して設定したとする(S305)。図６では、太字になっている「印刷音」がユーザーによって「第一に優先する設定」に選択されたとする。
【００１６】
設定が終了(S306)したら完了ボタンを選択し、送信データ生成部10eにおいて上記で設定した内容を生成する(S307)。なお送信データ生成部10eで生成される送信データのデータ形式は、SGML、HTML、XHTML、XMLといった言語であってもよい。
【００１７】
生成された印刷設定データをインターフェース10dから印刷装置20のインターフェース20dへ送信する(S308)。
【００１８】
印刷装置20のインターフェース20dでデジタルテレビ10から送信されてきた印刷設定データを受信する(S309)。
【００１９】
印刷装置内部では、図９で示す印刷方法テーブルを保持しており、受信データ解析部20gで、S309で受信した印刷設定データを、このテーブルの対応する部分（セル）に設定値の書き込みを行なう(S310)。すると図１０のようなる。図１０では、「印刷音」が「第一に優先する設定」に選択されているのが分かるように、太字にして表記した。
【００２０】
以上で、印刷設定を終了する(S311)。
【００２１】
次に、印刷が発生した際のステップについて説明をする。
【００２２】
デジタルテレビ10からの印刷が発生した際(S401)、現在のデジタルテレビ10の「音量」や「画質」といった情報を送信データ生成部10eで生成し、インターフェース10dから印刷装置20へデジタルテレビ10の情報と印刷データを送信する(S402)。
【００２３】
印刷装置20は、「音量」や「画質」といったデジタルテレビ10の情報をインターフェース20dで受信し(S403)、受信データ解析部20gで受信したデータを図９の印刷方法テーブルに設定する(S404)。
【００２４】
第一に優先する印刷設定が、「印刷音」で設定されている時、
現在のデジタルテレビ10の「音量」が8で、「画質」がハイビジョンの時、図１０から印刷音は「静か」に設定されている為、印刷音を「静か」に印刷するよう印刷データ生成部20eで印刷データを生成し(S406)、印刷部20fで印刷を開始する(S407)。
【００２５】
第一に優先する印刷設定が、「印刷スピード」で設定されている時、
現在のデジタルテレビ10の「音量」が8で、「画質」がハイビジョンの時、図１０から印刷スピードは「ゆっくり」に設定されている為、印刷スピードが「ゆっくり」で印刷されるよう印刷データ生成部20eで印刷データを生成し(S406)、印刷部20fで印刷を開始する(S407)。
【００２６】
第一に優先する印刷設定が、「印刷画質」で設定されている時、
現在のデジタルテレビ10の「音量」が8で、「画質」がハイビジョンの時、図１０から印刷画質は「きれい」に設定されている為、「きれい」で印刷されるよう印刷データ生成部20eで印刷データを生成し(S406)、印刷部20fで印刷を開始する(S407)。
【００２７】
なお、図７は、デジタルテレビの画面に表示される印刷設定メニューで、第一に優先する設定が「印刷スピード」に設定された時の画面である。
【００２８】
又、図８は、デジタルテレビの画面に表示される印刷設定メニューで、第一に優先する設定が「印刷画質」に設定された時の画面である。
【００２９】
以上で、印刷を終了する(S408)。
【図面の簡単な説明】
【００３０】
【図１】デジタルテレビと印刷装置との接続形態を示す構成図
【図２】デジタルテレビ及び印刷装置の構成を示すブロック図である。
【図３】本発明の印刷設定処理手順を示すフローチャート図である。
【図４】本発明の印刷手順を示すフローチャート図である。
【図５】デジタルテレビの画面に表示される印刷設定メニューである。
【図６】デジタルテレビの画面に表示される印刷設定メニューで、第一に優先する設定が「印刷音」に設定された時の画面である。
【図７】デジタルテレビの画面に表示される印刷設定メニューで、第一に優先する設定が「印刷スピード」に設定された時の画面である。
【図８】デジタルテレビの画面に表示される印刷設定メニューで、第一に優先する設定が「印刷画質」に設定された時の画面である。
【図９】印刷装置の内部に保持してある印刷方法テーブル
【図１０】デジタルテレビから送信されてきた印刷設定データが設定されている印刷方法テーブル
【符号の説明】
【００３１】
１０  デジタルテレビ
１０ａ  デジタルテレビのＣＰＵで、デジタルテレビのＲＯＭ１０ｃに記憶されている制御プログラム等を実行する部分である。
１０ｂ  デジタルテレビのＲＡＭで、デジタルテレビのＣＰＵ１０ａ等のワークエリアである。
１０ｃ  デジタルテレビのＲＯＭで、デジタルテレビの制御プログラムが記憶されている部分である。
１０ｄ  デジタルテレビのインターフェースで、印刷装置と接続される部分である。
１０ｅ  デジタルテレビの送信データ生成部で、印刷設定データを生成する部分である。
１０ｆ  デジタルテレビの基本機能部分である。
２０  印刷装置
２０ａ  印刷装置のＣＰＵで、印刷装置のＲＯＭ２ｃに記憶されている制御プログラム等を実行する部分である。
２０ｂ  印刷装置のＲＡＭで、印刷装置のＣＰＵ２０ａ等のワークエリアである。
２０ｃ  印刷装置のＲＯＭで、印刷装置の制御プログラムを記憶している。
２０ｄ  印刷装置のインターフェースで、デジタルデバイスと接続される部分である。
２０ｅ  印刷装置の印刷データ生成部で、印刷データの生成を行なう部分である。
２０ｆ  印刷装置の印刷部で、印刷を行うエンジンである。
２０ｇ  印刷装置の受信データ解析部で、デジタルデバイスから送信されてくる印刷設定データを解析する部分である。
【図１】
2009116390.tif 000003
【図２】
2009116390.tif 000004
【図３】
2009116390.tif 000005
【図４】
2009116390.tif 000006
【図５】
2009116390.tif 000007
【図６】
2009116390.tif 000008
【図７】
2009116390.tif 000009
【図８】
2009116390.tif 000010
【図９】
2009116390.tif 000011
【図１０】
2009116390.tif 000012